(57)【要約】【課題】部品点数が少なく、結合度の微妙な調整を容易に行うことができるようにしたバンドパスフィルタを提供する。【解決手段】側面に孔を有した複数の円筒形状の共振器を上記孔が連通するようにして並設したバンドパスフィルタにおいて、側面に角形形状または楕円形状の孔をそれぞれ有した複数の円筒形状の共振器と、角形形状または楕円形状の結合孔を有するとともに、上記結合孔と上記孔とが連通するようにして上記複数の共振器間に所定の固定手段により回転自在に固定された結合板とを有し、上記共振器に設けられた上記孔と上記結合板に設けられた上記結合孔とが連通して連通部を形成し、上記結合板を回転することにより上記連通部の開口面積を変化させることにより上記複数の共振器の結合度を変化するようにした。【選択図】        図３
2010028266.tif 000002
【特許請求の範囲】
【請求項１】
側面に孔を有した複数の円筒形状の共振器を前記孔が連通するようにして並設したバンドパスフィルタにおいて、
側面に角形形状または楕円形状の孔をそれぞれ有した複数の円筒形状の共振器と、
角形形状または楕円形状の結合孔を有するとともに、前記結合孔と前記孔とが連通するようにして前記複数の共振器間に所定の固定手段により回転自在に固定された結合板と
を有し、
前記共振器に設けられた前記孔と前記結合板に設けられた前記結合孔とが連通して連通部を形成し、前記結合板を回転することにより前記連通部の開口面積を変化させることにより前記複数の共振器の結合度を変化させる
ことを特徴とするバンドパスフィルタ。
【請求項２】
請求項１に記載のバンドパスフィルタにおいて、
前記結合孔の開口面積が、前記孔の開口面積以下である
ことを特徴とするバンドパスフィルタ。
【請求項３】
請求項１または２のいずれか１項に記載のバンドパスフィルタにおいて、
前記結合板は、円板形状または多角形形状である
ことを特徴とするバンドパスフィルタ。
【請求項４】
請求項１、２または３のいずれか１項に記載のバンドパスフィルタにおいて、
前記結合板は、外周部に凸部が形成された
ことを特徴とするバンドパスフィルタ。
【発明の詳細な説明】
【技術分野】
【０００１】
本発明は、バンドパスフィルタに関し、さらに詳細には、高周波伝送回路において用いられる導波管型のバンドパスフィルタに関する。
【背景技術】
【０００２】
従来より、通常の導波管型のバンドパスフィルタでは達成できない低挿入損失、高減衰量を得ようとすると、円筒形状の共振器を多段に並設したバンドパスフィルタを用いる必要があることが知られている。
【０００３】
こうしたバンドパスフィルタ１００は、例えば、図１（ａ）（ｂ）に示すように、側面の対向する位置に孔１２ａ、１２ｂが設けられた円筒形状の共振器１２と、側面の対向する位置に孔１４ａ、１４ｂが設けられ、孔１４ａが後述する結合板１６の孔１６ａを介して共振器１２の孔１２ａと連通するようにして並設された円筒形状の共振器１４と、共振器１２と共振器１４との間に設けられ孔１２ａおよび孔１４ａの開口面積より小さい開口面積の孔１６ａを穿設された結合板１６と、共振器１２における一方の端面に貫通して設けられるとともに可動端板１８を共振器１２の軸線方向に可動自在に支持するネジ軸２０と、共振器１４における一方の端面に貫通して設けられるとともに可動端板２２を共振器１４の軸線方向に可動自在に支持するネジ軸２４とを有して構成されている。
【０００４】
ここで、孔１２ａ、１２ｂ、１４ａ、１４ｂは、円筒形状の共振器１２および１４の軸線方向の略中央に設けられており、共振器１２および共振器１４は、フランジ１２ｄおよびフランジ１４ｄにおいて結合板１６と連結ネジ２６で機械的に連結されている。
【０００５】
そして、上記のようにして共振器１２、共振器１４および結合板１６が連結された状態において、孔１２ａと孔１４ａとは結合孔１６ａを介して連通した状態となされている。
【０００６】
また、共振器１２および共振器１４は、それぞれフランジ１２ｅおよびフランジ１４ｅにおいて導波管２８のフランジ２８ａおよび導波管３０のフランジ３０ａと機械的に連結されている。
【０００７】
なお、結合板１６としては、結合板１６に設けられた孔１６ａの開口面積が異なるものを複数用意しておくものである。
【０００８】
以上の構成において、共振器１２と共振器１４とに関する共振器間の結合度を調整するには、共振器１２と共振器１４との間に設けられた結合板１６を交換すればよい。
【０００９】
即ち、共振器１２と共振器１４との間に配置する結合板１６として、複数用意された結合板１６のうち孔１６ａの開口面積の大きいものを配置したり、逆に、複数用意された結合板１６のうち孔１６ａの開口面積の小さいものを配置したりすることにより、共振器１２と共振器１４との結合度を所望の結合度に調整することができる。
【００１０】
しかしながら、こうしたバンドパスフィルタ１００においては、上記において説明したように、共振器１２と共振器１４との結合度を調整するためには、孔１６ａの開口面積の異なる結合板１６を複数用意しなければならず、バンドパスフィルタ１００を構成する部品点数が多くなってしまうという問題点があった。
【００１１】
また、共振器１２と共振器１４との結合度は、複数の結合板１６の中から孔１６ａの開口面積の異なるものを入れ換えて調整するため、結合板１６の孔１６ａの開口面積に応じて段階的にしか変化させることができず、所望の結合度に調整することが困難であることが指摘されていたものであり、一方、共振器１２と共振器１４との結合度を微妙に調整しようとすると、孔１６ａの開口面積が微妙に異なる結合板１６を多数用意しなければならず、こうした結合板１６を作成して結合度を調整しようとすると、部品点数がより多くなるとともに結合度を調整する作業が非常に面倒になっていたという問題点があった。
【００１２】
なお、本願出願人が特許出願時に知っている先行技術は、上記において説明したようなものであって文献公知発明に係る発明ではないため、記載すべき先行技術情報はない。
【発明の開示】
【発明が解決しようとする課題】
【００１３】
本発明は、上記したような従来の技術の有する種々の問題点に鑑みてなされたものであり、その目的とするところは、部品点数が少なく、結合度の微妙な調整を容易に行うことができるようにしたバンドパスフィルタを提供しようとするものである。
【課題を解決するための手段】
【００１４】
上記目的を達成するために、本発明は、共振器間に設けられた結合板を、当該結合板の中心を中心軸として回転させることにより、結合板の中心に設けられた結合孔と共振器に設けられた孔とにより共振器間で連通している孔の開口面積を連続的に変化させるようにして、共振器間の結合度を調整するようにしたものである。
【００１５】
従って、本発明によれば、共振器間の結合度を調整するために結合孔の大きさの異なる結合板を複数用意する必要がないので、バンドパスフィルタを構成する部品点数が少なくてすむ。
【００１６】
また、本発明によれば、共振器間に設けられた結合板を回転させることにより、共振器間の結合度を連続的に調整することができるため、微妙な結合度の調整も容易に行うことができる。
【００１７】
さらに、本発明によれば、共振器間の結合度の微妙な調整を容易に行うことができるので、共振器間の結合度の調整を短時間で行うことができる。
【００１８】
即ち、本発明のうち請求項１に記載の発明は、側面に孔を有した複数の円筒形状の共振器を上記孔が連通するようにして並設したバンドパスフィルタにおいて、側面に角形形状または楕円形状の孔をそれぞれ有した複数の円筒形状の共振器と、角形形状または楕円形状の結合孔を有するとともに、上記結合孔と上記孔とが連通するようにして上記複数の共振器間に所定の固定手段により回転自在に固定された結合板とを有し、上記共振器に設けられた上記孔と上記結合板に設けられた上記結合孔とが連通して連通部を形成し、上記結合板を回転することにより上記連通部の開口面積を変化させることにより上記複数の共振器の結合度を変化するようにしたものである。
【００１９】
また、本発明のうち請求項２に記載の発明は、本発明のうち請求項１に記載の発明において、上記結合孔の開口面積が、上記孔の開口面積以下であるようにしたものである。
【００２０】
また、本発明のうち請求項３に記載の発明は、本発明のうち請求項１または２のいずれか１項に記載の発明において、上記結合板は、円板形状または多角形形状であるようにしたものである。
【００２１】
また、本発明のうち請求項４に記載の発明は、本発明のうち請求項１、２または３のいずれか１項に記載の発明において、上記結合板の外周部に凸部を形成するようにしたものである。
【発明の効果】
【００２２】
本発明は、以上説明したように構成されているので、部品点数を低減することができ、かつ、結合度の微妙な調整を容易に行うことができるようになるという優れた効果を奏する。
【発明を実施するための最良の形態】
【００２３】
以下、添付の図面を参照しながら、本発明によるバンドパスフィルタの実施の形態の一例を詳細に説明するものとする。
【００２４】
なお、以下の説明においては、図１を参照しながら説明した従来の技術によるバンドパスフィルタと同一または相当する構成については、上記において用いた符号と同一の符号を用いて示すことにより、その詳細な構成ならびに作用の説明は適宜に省略することとする。
【００２５】
ここで、図２（ａ）には本発明の実施の形態の一例を示すバンドパスフィルタの共振器間の連結状態を示した説明図が示されており、また、図２（ｂ）には図２（ａ）のＩＩ−ＩＩ線による断面形状を示す端面図が示されており、また、図３（ａ）（ｂ）（ｃ）にはバンドパスフィルタの要部を示す展開図が示されており、具体的には、図３（ａ）には図２（ａ）のＩＩＩ−ＩＩＩ線による断面形状を示す端面図が示されており、また、図３（ｂ）には図２（ａ）のＩＶ−ＩＶ線による断面形状を示す端面図が示されており、また、図３（ｃ）には図２（ａ）のＶ−Ｖ線による断面形状を示す端面図が示されており、また、図４には共振器の設けられた孔と結合板に設けられた結合孔とが連通したときにおける当該孔と当該結合孔との状態を示した説明図が示されている。
【００２６】
この図２（ａ）（ｂ）乃至図３（ａ）（ｂ）（ｃ）に示す本発明によるバンドパスフィルタ１０は、側面に設けられ高周波信号が入射される孔１２ｂと対向する位置に矩形形状の孔１２ａが設けられた円筒形状の共振器１２と、側面に設けられ処理された高周波信号が出力する孔１４ｂと対向する位置に矩形形状の孔１４ａが設けられ、孔１４ａが後述する結合板３２の結合孔３２ａを介して共振器１２の孔１２ａと連通するようにして並設された円筒形状の共振器１４と、共振器１２と共振器１４との間に設けられ、孔１２ａおよび孔１４ａの開口面積と同じ開口面積を有するとともに孔１２ａおよび孔１４ａと同一の矩形形状の結合孔３２ａが設けられた円板形状の結合板３２と、共振器１２における一方の端面に貫通して設けられるとともに可動端板１８を共振器１２の軸線方向に可動自在に支持するネジ軸２０と、共振器１４における一方の端面に貫通して設けられるとともに可動端板２２を共振器１４の軸線方向に可動自在に支持するネジ軸２４とを有して構成されている。
【００２７】
ここで、孔１２ａ、１２ｂ、１４ａ、１４ｂは、円筒形状の共振器１２、１４の軸線方向の略中央にそれぞれ設けられており、かつ、孔１２ａ、１２ｂ、１４ａ、１４ｂは、互いに一直線上に配置されている。
【００２８】
また、共振器１２には、孔１２ａを中心として放射状に孔１２ｄ−１、１２ｄ−２、１２ｄ−３が穿設された略円板形状のフランジ１２ｄが設けられている（図３（ａ）を参照する。）。
【００２９】
同様に、共振器１４には、孔１４ａを中心として放射状に孔１４ｄ−１、１４ｄ−２、１４ｄ−３が穿設された略円板形状のフランジ１４ｄが設けられている（図３（ｃ）を参照する。）。
【００３０】
そして、後述するように、フランジ１２ｄに穿設された孔１２ｄ−１、１２ｄ−２、１２ｄ−３とフランジ１４ｄに穿設された孔１４ｄ−１、１４ｄ−２、１４ｄ−３とには、結合板３２を介して共振器１２と共振器１４と連結するための連結子たる連結ネジ２６が挿通されて、結合板３２を介して共振器１２と共振器１４とがネジ結合されることになる。
【００３１】
また、結合板３２は、共振器１２に設けられたフランジ１２ｄや共振器１４に設けられたフランジ１４ｄの直径Ｌ１よりも大きな直径Ｌ２を有していて、その中心に矩形形状の結合孔３２ａが設けられるとともに、縁部側に連結ネジ２６が挿通可能な円弧形状を備えた長孔３２ｂ、３２ｃ、３２ｄが穿設されている（図３（ｂ）を参照する。）。
【００３２】
そして、共振器１２と共振器１４と結合板３２とは、共振器１２に設けられた孔１２ａの中心と結合板３２に設けられた結合孔３２ａの中心と共振器１４に設けられた孔１４ａの中心とが一致するようにして配置され、孔１２ａと孔１４ａと結合孔３２ａが連通した状態で、孔１２ｄ−１と長孔３２ｂと孔１４ｄ−１とに連結ネジ２６を挿通し、また、孔１２ｄ−２と長孔３２ｃと孔１４ｄ−２とに連結ネジ２６を挿通し、また、孔１２ｄ−３と長孔３２ｄと孔１４−３とに連結ネジ２６を挿通して、結合板３２を介して共振器１２と共振器１４とがネジ結合により機械的に連結されている。
【００３３】
このとき、連通した状態の孔１２ａと結合孔３２ａとは、矩形形状の孔１２ａの長辺と矩形形状の結合孔３２ａの長辺とが直交するようにして連結され、連通した状態の結合孔３２ａと孔１４ａとは、矩形形状の結合孔３２ａの長辺と矩形形状の孔１４ａの長辺とが直交するようにして連結されている（図４を参照する。）。
【００３４】
なお、本実施の形態においては、結合板３２に設けられた長孔３２ｂ、３２ｃ、３２ｄは、結合板３２がフランジ１２ｄとフランジ１４ｄとの連結部位において１／４回転だけ回転できる長さに設定されている。
【００３５】
以上の構成において、共振器１２と共振器１４との結合度を調整するには、共振器１２と共振器１４との間に設けられた結合板３２を回転させればよい。
【００３６】
即ち、結合板３２を回転することにより、結合板３２に設けられた矩形形状の結合孔３２ａも回転することになり、結合孔３２ａと共振器１２に設けられた孔１２ａおよび共振器１４に設けられた孔１４ａとの連通部の開口面積を徐々に変化させることができる（図５（ａ）（ｂ）（ｃ）を参照する。）。
【００３７】
つまり、共振器１２および共振器１４にそれぞれ設けられた孔１２ａおよび孔１４ａと結合板３２に設けられた結合孔３２ａとは、図５（ａ）に示す状態から３つの連結ネジ２６を緩めて結合板３２を回転可能な状態としてから結合板３２を矢印Ａ方向に回転させると、例えば、図５（ｂ）に示す状態となり、孔１２ａおよび孔１４ａと結合孔３２ａとの連通部の開口面積が連続的に大きくなり、共振器１２と共振器１４との結合度が連続的に大きくなる。
【００３８】
さらに、図５（ｂ）に示す状態から結合板３２を矢印Ａ方向に回転させると図５（ｃ）に示す状態となり、孔１２ａおよび孔１４ａと結合孔３２ａとの連通部の開口面積がより大きくなり、共振器１２と共振器１４との結合度がさらに大きくなる。
【００３９】
これとは逆に、図５（ｃ）に示す状態から結合板３２を矢印Ｂ方向に回転させると図５（ｂ）に示す状態となり、孔１２ａおよび孔１４ａと結合孔３２との連通部の開口面積が連続的に小さくなり、共振器１２と共振器１４との結合度が連続的に小さくなる。
【００４０】
さらに、図５（ｂ）に示す状態から結合板３２を矢印Ｂ方向に回転させると図５（ａ）に示す状態となり、孔１２ａおよび孔１４ａと結合孔３２ａとの連通部の開口面積がより小さくなり、共振器１２と共振器１４との結合度がさらに小さくなる。
【００４１】
なお、上記のように３つの連結ネジ２６を緩めて結合板３２を回転可能な状態とし、結合板３２を回転させて共振器１２と共振器１４との結合度として所望の結合度が得られたならば、その位置において連結ネジ２６を締めることにより共振器１２、共振器１４および結合板３２を再度固定すればよい。
【００４２】
以上において説明したように、本発明によるバンドパスフィルタ１０によれば、結合板３２を回転させて共振器１２と共振器１４との結合度を調整するようにしたため、バンドパスフィルタ１０を構成する部品点数が少なくてすむ。
【００４３】
また、本発明によるバンドパスフィルタ１０によれば、結合板３２を回転させて共振器１２と共振器１４との結合度を調整するようにしたため、共振器１２と共振器１４との結合度を連続的に変化させて調整できるようになり、微妙な結合度の調整も容易に可能となって、所望の結合度を短時間で得ることができる。
【００４４】
なお、上記した実施の形態は、以下の（１）乃至（７）に示すように変形することができるものである。
【００４５】
（１）上記した実施の形態においては、共振器１２の孔１２ａ、共振器１４の孔１４ａおよび結合板３２の結合孔３２ａをそれぞれ同じ開口面積を有する矩形形状としたが、これに限られるものではないことは勿論であり、例えば、図６（ａ）（ｂ）（ｃ）（ｄ）に示すように、共振器１２、共振器１４および結合板３２にそれぞれ同じ開口面積を有する楕円形状の孔１２ａａ、孔１４ａａ、結合孔３２ａａを設け、共振器１２、共振器１４および結合板３２を連結させるようにしてもよい。
【００４６】
このとき、楕円形状の孔１２ａａ、孔１４ａａ、結合孔３２ａａは、初期状態においては、例えば、孔１２ａａおよび孔１４ａａの長軸と結合孔３２ａａの長軸とを直交させるようにして共振器１２および共振器１４と結合板３２とが連結させればよい。
【００４７】
さらに、孔１２ａ、孔１４ａならびに結合孔３２ａとしては、矩形形状や楕円形状に限定されるものではなく、正円形形状を除く各種の形状、即ち、三角形状、矩形形状、菱形形状、台形形状あるいは五角形形状のような多角形形状を含む各種の角形形状か楕円形状であればよい。
【００４８】
（２）上記した実施の形態においては、共振器１２の孔１２ａ、共振器１４の孔１４ａおよび結合板３２の結合孔３２ａは、それぞれ同じ開口面積を有する矩形形状としたが、これに限られるものではないことは勿論であり、図７（ａ）（ｂ）（ｃ）（ｄ）に示すように、結合孔３２ａの短辺を小さくすることにより、結合板３２に孔１２ａや孔１４ａより小さい開口面積を有する矩形形状の結合孔３２ａｂを設けるようにしてもよい。
【００４９】
なお、開口面積を小さくするために結合孔の長辺を短くすると、結合孔は正方形に近くなり、こうした結合孔を有した結合板３２を回転させても、孔１２ａおよび孔１４ａと結合孔との連通部の開口面積の変化は小さくなるため、こうした結合孔を有する結合板３２による共振器１２と共振器１４との結合度の調整では、調整できる結合度の範囲が小さくなってしまう。
【００５０】
（３）上記した実施の形態においては、共振器１２と共振器１４との間に設けられた結合板３２を回転させて、共振器１２と共振器１４との結合度を調整するようにしたが、従来技術のように開口面積の異なる結合孔が設けられた結合板３２を複数用意して、結合板３２を入れ換えるとともに、入れ換えた結合板３２を回転させて共振器１２と共振器１４との結合度を調整するようにしてもよい。
【００５１】
このようにして共振器間の結合度を調整するようにすると、より広い範囲で結合度を連続的に調整することができる。
【００５２】
（４）上記した実施の形態においては、結合板３２により共振器１２および共振器１４の２つの共振器間の結合度を調整するようにたが、３つ以上の共振器が並設されたバンドパスフィルタにおいて、同様にして隣り合う共振器間の結合度を調整することができることは勿論である。
【００５３】
その際、例えば、共振器１２、共振器１４ならびに共振器３４を接続する場合には、図１０（ａ）に示すように、共振器１２の中心軸Ｏ１、共振器１４の中心軸Ｏ２ならびに共振器３４の中心軸Ｏ３が同一平面Ｐ１上に存在するように各共振器を接続してもよいし、図１０（ｂ）に示すように、共振器１２の中心軸Ｏ１と共振器１４の中心軸Ｏ２とが存在する平面Ｐ２および共振器１４の中心軸Ｏ２と共振器３４の中心軸Ｏ３とが存在する平面Ｐ３が所定の角度を有するよう各共振器を接続するようにしてもよい。
【００５４】
（５）上記した実施の形態においては、結合板３２を共振器１２および共振器１４に設けられたフランジより直径の大きい円板形状として、結合板３２を回転させやすくしたが、これに限られるものではないことは勿論であり、図８（ａ）（ｂ）（ｃ）に示すように、結合板３２を多角形状としたり、外周部に凸部を設けることにより、結合板３２を回転させやすい形状としてもよい。
【００５５】
（６）上記した実施の形態においては、共振器１２と共振器１４と結合板３２とは、共振器１２に設けられた孔１２ａの中心と結合板３２に設けられた結合孔３２ａの中心と共振器１４に設けられた孔１４ａの中心とを一致させて配置し、結合板３２を１／４回転可能なように結合板３２に長孔３２ｂ、３２ｃ、３２ｄを設けるようにしたが、図９に示すように、矩形形状の孔１２ａ（１４ａ）と結合孔３２ａとがそれぞれ異なる方向にずれて位置している場合には、長孔３２ｅ、３２ｆを設けて結合板を１／２回転させるようにしてもよい。
【００５６】
（７）上記した実施の形態ならびに上記した（１）乃至（６）に示す変形例は、適宜に組み合わせるようにしてもよい。
【産業上の利用可能性】
【００５７】
本発明は、高周波伝送回路において用いられる導波管型のバンドパスフィルタとして利用することができる。
【図面の簡単な説明】
【００５８】
【図１】図１（ａ）は、従来技術におけるバンドパスフィルタを示す概略構成斜視説明図であり、図１（ｂ）は、図１（ａ）のＩ−Ｉ線による断面形状を示す端面図である。
【図２】図２（ａ）は、本発明におけるバンドパスフィルタの共振器間の連結状態を示した説明図であり、図２（ｂ）は、図２（ａ）のＩＩ−ＩＩ線による断面形状を示す端面図である。
【図３】図３（ａ）（ｂ）（ｃ）は、本発明におけるバンドパスフィルタの要部を示す展開図であり、具体的には、図３（ａ）は、図２（ａ）のＩＩＩ−ＩＩＩ線による断面形状を示す端面図であり、また、図３（ｂ）は、図２（ａ）のＩＶ−ＩＶ線による断面形状を示す端面図であり、また、図３（ｃ）は、図２（ａ）のＶ−Ｖ線による断面形状を示す端面図である。
【図４】図４は、共振器の設けられた孔と結合板に設けられた結合孔とが連通したときにおける当該孔と当該結合孔との状態を示した説明図である。
【図５】図５（ａ）（ｂ）（ｃ）は、結合板を回転させることにより変化する共振器に設けられた孔と結合板に設けられた結合孔との連結部の開口面積を示す説明図である。
【図６】図６（ａ）（ｂ）（ｃ）（ｄ）は、本発明によるバンドパスフィルタの変形例を示す説明図であり、図６（ａ）は図３（ａ）に対応し、図６（ｂ）は図３（ｂ）に対応し、図６（ｃ）は図３（ｃ）に対応し、図６（ｄ）は図５（ａ）に対応する。
【図７】図７（ａ）（ｂ）（ｃ）（ｄ）は、本発明によるバンドパスフィルタの変形例を示す説明図であり、図７（ａ）は図３（ａ）に対応し、図７（ｂ）は図３（ｂ）に対応し、図７（ｃ）は図３（ｃ）に対応し、図７（ｄ）は図５（ａ）に対応し、図７（ｅ）は図５（ｃ）に対応する。
【図８】図８（ａ）（ｂ）（ｃ）は、本発明によるバンドパスフィルタの変形例を示す説明図である。
【図９】図９は、本発明によるバンドパスフィルタの変形例を示す説明図である。
【図１０】図１０（ａ）（ｂ）は、本発明によるバンドパスフィルタの変形例を示す説明図である。
【符号の説明】
【００５９】
１０、１００        バンドパスフィルタ
１２、１４、３４        共振器
１２ａ、１２ａａ、１２ｂ、１４ａ、１４ａａ、１４ｂ、１２ｄ−１、１２ｄ−２、１２ｄ−３、１４ｄ−１、１４ｄ−２、１４ｄ−３        孔
１２ｄ、１２ｅ、１４ｄ、１４ｅ、２８ａ、３０ａ        フランジ
１６、３２        結合板
３２ａ、３２ａａ、３２ａｂ        結合孔
３２ｂ、３２ｃ、３２ｄ、３２ｅ、３２ｆ        長孔
１８、２２        可動端板
２０、２４        ネジ軸
２６        連結ネジ
２８、３０        導波管
【図１】
2010028266.tif 000003
【図２】
2010028266.tif 000004
【図３】
2010028266.tif 000005
【図４】
2010028266.tif 000006
【図５】
2010028266.tif 000007
【図６】
2010028266.tif 000008
【図７】
2010028266.tif 000009
【図８】
2010028266.tif 000010
【図９】
2010028266.tif 000011
【図１０】
2010028266.tif 000012